(57)【要約】【課題】本発明は、切り換え機構の操作部をリール本体で保護することができ、操作部の誤操作および損傷を防止できる魚釣用スピニングリールを得ることにある。【解決手段】魚釣用スピニングリール(1)は、ドライブギヤ(10)を収容するリール本体(2)を備えている。リール本体(2)は、ロータ(15)、ストッパー(28)および切り換え機構(37)を支持している。ストッパー(28)は、釣糸を巻き取る方向へのロータ(15)の正回転を許容し釣糸を繰り出す方向へのロータ(15)の逆回転を禁止する第１の位置と、ロータ(15)の正回転および逆回転を許容する第２の位置との間で移動可能である。切り換え機構(37)は、ストッパー(28)を第１の位置又は第２の位置に切り換えるとともに、リール本体(2)の後端部からリール本体(2)の外に露出する操作部(39)を有する。リール本体(2)の後端部に外向きに開放する凹部(43)が形成されている。操作部(43)の少なくとも一部は凹部(43)内に収容されるとともに、リール本体(2)を側方から見た時にドライブギヤ(10)と重なり合う。【選択図】      図１
2008245615.tif 000002
【特許請求の範囲】
【請求項１】
ギヤボックスと、このギヤボックス内に収容されたドライブギヤと、このドライブギヤを回転させるハンドルと、を有するリール本体と、
上記リール本体に支持され、上記ドライブギヤによって回転される回転軸筒と、
上記回転軸筒と一体に回転するロータと、
上記リール本体に支持され、釣糸を巻き取る方向への上記ロータの正回転を許容するとともに釣糸を繰り出す方向への上記ロータの逆回転を禁止する第１の位置と、上記ロータの正回転および逆回転を許容する第２の位置との間で移動可能なストッパーと、
上記リール本体に支持され、上記ストッパーを上記第１の位置又は上記第２の位置に切り換えるとともに、上記リール本体の後端部から上記リール本体の外に露出する操作部を有する切り換え機構と、を含み、
上記リール本体の後端部に、上記リール本体の外に向けて開放する凹部を形成し、この凹部内に上記操作部の少なくとも一部を収容するとともに、上記リール本体を側方から見た時に、上記操作部の少なくとも一部が上記ドライブギヤと重なり合うことを特徴とする魚釣用スピニングリール。
【請求項２】
請求項１の記載において、上記リール本体は、後面と、この後面の一側に連なる側面とを有し、上記凹部は上記後面および上記側面に連続して開放することを特徴とする魚釣用スピニングリール。
【請求項３】
請求項１の記載において、上記凹部は、上記ドライブギヤを避けた位置で上記ギヤボックス内に入り込むように凹んでいることを特徴とする魚釣用スピニングリール。
【請求項４】
ハンドルを有するリール本体と、
上記リール本体の上端から上方に向けて突出し、上端に竿取り付け部を有する脚部と、
上記リール本体に支持され、上記ハンドルの操作により回転するロータと、
上記リール本体に支持され、釣糸を巻き取る方向への上記ロータの正回転を許容するとともに釣糸を繰り出す方向への上記ロータの逆回転を禁止する第１の位置と、上記ロータの正回転および逆回転を許容する第２の位置との間で移動可能なストッパーと、
上記リール本体に支持され、上記ストッパーを上記第１の位置又は上記第２の位置に切り換えるとともに、上記リール本体の後端部から上記リール本体の外に露出する操作部を有する切り換え機構と、を含み、
上記リール本体に連続する上記脚部の基端部に、上記脚部の外に開放する収容部を形成し、この収容部内に上記操作部を配置したことを特徴とする魚釣用スピニングリール。
【請求項５】
請求項４の記載において、上記脚部は、第１の側面と、この第１の側面の反対側に位置する第２の側面とを有し、上記収容部は、上記第１および第２の側面に開口する孔であることを特徴とする魚釣用スピニングリール。
【請求項６】
請求項４の記載において、上記脚部は、第１の側面と、この第１の側面の反対側に位置する第２の側面とを有し、上記収容部は、上記第１の側面および第２の側面のいずれか一方に開口する凹みであることを特徴とする魚釣用スピニングリール。
【発明の詳細な説明】
【技術分野】
【０００１】
本発明は、釣糸の繰り出しに伴うロータの逆回転を防ぐストッパー機構を備えた魚釣用スピニングリールに関する。
【背景技術】
【０００２】
魚釣用スピニングリールは、スプールから釣糸が繰り出される時に、ロータが釣糸を巻き取る方向とは逆方向に回転するのを防ぐストッパー機構を装備している。
【０００３】
従来のストッパー機構は、例えば特許文献１および特許文献２に開示されているように、ラチェット車、逆転防止爪および切り換え機構を備えている。ラチェット車は、ロータに直結された回転軸筒の外周面に固定されて、ロータと一緒に回転するようになっている。逆転防止爪は、ラチェット車に噛み合う爪先と、この爪先の反対側に位置するカム受けとを有している。逆転防止爪は、爪先がラチェット車に噛み合う係合位置と、爪先がラチェット車から離脱する係合解除位置との間で回動可能にリール本体に支持されている。
【０００４】
そのため、逆転防止爪が係合位置に回動されている限り、逆転防止爪の爪先がラチェット車と噛み合った状態を維持し、これによりロータの逆回転が阻止されるようになっている。
【０００５】
切り換え機構は、逆転防止爪を係合位置および係合解除位置のいずれかに選択的に回動させるためのものであり、操作軸と操作レバーとを備えている。操作軸は、リール本体に回動可能に支持されているとともに、その一端にカムが形成されている。カムは、逆転防止爪のカム受けに接している。
【０００６】
操作レバーは、操作軸を回動操作するためのものであり、手の指先を引っ掛けたり、あるいは指先で摘むことができるような形状を有している。操作レバーは、リール本体の後端の上部に位置するとともに、リール本体の外に突出している。
【０００７】
実際に釣りをしている時に、釣人が手の指先で操作レバーを操作すると、カムの形状に応じて逆転防止爪が係合位置又は係合解除位置に回動する。この回動により、例えば掛かった魚とのやり取りを行う時に、ロータの逆回転を許容する状態と、ロータの逆回転を禁止する状態とを自由に選択することができる。
【特許文献１】実開昭６２−９１９７４号公報
【特許文献２】実公平５−３０６２１号公報
【発明の開示】
【発明が解決しようとする課題】
【０００８】
特許文献１および特許文献２に開示された切り換え機構によると、ロータの逆回転を許容したりロータの逆回転を禁止する際に操作する操作レバーは、釣りの最中に頻繁に操作するものではないにも拘らず、リール本体の後面からリール本体の外に大きく張り出している。
【０００９】
このような構成によると、実際に釣りをしている時に、例えば手が無意識のうちに操作レバーに触れたり、釣人が着用している衣服が操作レバーに引っ掛かる虞があり得る。そのため、操作レバーが不所望に動いて、ロータが逆回転を禁止する状態から逆回転を許容する状態又はロータの逆回転を許容する状態から逆回転を禁止する状態に不所望に切り換わってしまい、掛かった魚とのやり取りを行う上での妨げとなる。
【００１０】
さらに、操作レバーをリール本体で保護することができないので、例えば釣りの最中に操作レバーが釣場の岩等に衝突する可能性が高く、操作レバーが損傷し易くなるといった問題がある。
【００１１】
本発明の目的は、切り換え機構の操作部をリール本体で保護することができ、操作部の誤操作および損傷を防止できる魚釣用スピニングリールを得ることにある。
【課題を解決するための手段】
【００１２】
上記目的を達成するため、本発明の一つの形態に係る魚釣用スピニングリールは、  
ギヤボックスと、このギヤボックス内に収容されたドライブギヤと、このドライブギヤを回転させるハンドルと、を有するリール本体と、上記リール本体に支持され、上記ドライブギヤによって回転される回転軸筒と、上記回転軸筒と一体に回転するロータと、上記リール本体に支持され、釣糸を巻き取る方向への上記ロータの正回転を許容するとともに釣糸を繰り出す方向への上記ロータの逆回転を禁止する第１の位置と、上記ロータの正回転および逆回転を許容する第２の位置との間で移動可能なストッパーと、上記リール本体に支持され、上記ストッパーを上記第１の位置又は上記第２の位置に切り換えるとともに、上記リール本体の後端部から上記リール本体の外に露出する操作部を有する切り換え機構と、を具備し、
上記リール本体の後端部に、上記リール本体の外に向けて開放する凹部を形成し、この凹部内に上記操作部の少なくとも一部を収容するとともに、上記リール本体を側方から見た時に、上記操作部の少なくとも一部が上記ドライブギヤと重なり合うことを特徴としている。
【発明の効果】
【００１３】
本発明によれば、切り換え機構の操作部がリール本体の後端部に深く埋め込まれた形態となり、操作部がリール本体の外に大きく突出するのを防止できる。そのため、操作部をリール本体によって保護することができ、操作部の誤操作や損傷を防止できるとともに、操作部に衣服や釣糸が絡み難くなる。
【発明を実施するための最良の形態】
【００１４】
以下本発明の第１の実施の形態を、図１ないし図４に基づいて説明する。
【００１５】
図１および図２は、魚釣用のスピニングリール１を開示している。スピニングリール１は、金属製のリール本体２を備えている。リール本体２は、その上端から上向きに延びる脚部３を有している。脚部３の上端に釣竿のリールシートに固定される竿取り付け部４が一体に形成されている。
【００１６】
リール本体２は、脚部３と一体化されたリールボディ５と、このリールボディ５の左側面にねじ止めされた蓋板としてのサイドカバー６と、リールボディ５およびサイドカバー６の後端から後方に突出する筒状のテールカバー７とを備えている。リールボディ５、サイドカバー６およびテールカバー７は、互いに協働して中空のギヤボックス８を形成している。
【００１７】
リールボディ５は、後面５ａおよび右側面５ｂを有している。リールボディ５の後面５ａは、所定の幅を有してリール本体２の高さ方向に延びるとともに、リール本体２の後方に露出している。さらに、後面５ａは、テールカバー７の上端と脚部３の後端下部との間を結ぶように滑らかな円弧を描いて湾曲している。リールボディ５の右側面５ｂは、後面５ａの右側縁からリール本体２の前方に向けて延びるとともに、リール本体２の右側方に露出している。
【００１８】
リール本体２にハンドル軸９ａと、このハンドル軸９ａの外側に同軸状に回り止め嵌合された駆動軸筒９ｂが支持されている。駆動軸筒９ｂは、リール本体２の左右方向に水平に配置されて、ギヤボックス８を貫通している。駆動軸筒９ｂ上にドライブギヤ１０が一体的に形成されている。ドライブギヤ１０は、ギヤボックス８に収容されている。駆動軸筒９ｂの一端は、ハンドル軸９ａと共にリール本体２の右側方に突出している。ハンドル軸９ａの一端に釣人が釣糸を巻き取る際に操作するハンドル１１が連結されている。
【００１９】
リール本体２のリールボディ５の前端に円筒部１３が一体に形成されている。円筒部１３は、リール本体２の前方に向けて突出している。円筒部１３の内側に回転軸筒１４が同軸状に挿通されている。回転軸筒１４は、図示しないボール軸受を介して円筒部１３に回転自在に支持されている。
【００２０】
回転軸筒１４の前端部は、円筒部１３の前端からリール本体２の前方に突出している。回転軸筒１４の前端部にロータ１５が同軸状に取り付けられている。ロータ１５は、回転軸筒１４と一緒に回転するように回転軸筒１４に固定されている。ロータ１５は、一対のアーム１６ａ，１６ｂを有している。アーム１６ａ，１６ｂは、ロータ１５の後端からリール本体２の前方に向けて延びるとともに、ロータ１５の径方向に互いに向かい合っている。アーム部１６ａ，１６ｂの前端の間にベール１７が反転可能に支持されている。ベール１７の一端部は、一方のアーム１６ａの前端に設けた釣糸案内部１８に取り付けられている。
【００２１】
図１に示すように、回転軸筒１４の後部は、ギヤボックス８の内部に導かれている。回転軸筒１４の後部にピニオンギヤ２０が形成されている。ピニオンギヤ２０はギヤボックス８の内部でドライブギヤ１０と噛み合っている。
【００２２】
釣人が手でハンドル１１を回すと、ハンドル１１の回転運動がハンドル軸９ａ、駆動軸筒９ｂ、ドライブギヤ１０およびピニオンギヤ２０を介して回転軸筒１４に伝わり、回転軸筒１４がハンドル１１の操作に追従して回転する。これにより、回転軸筒１４に直結されたロータ１５が釣糸を巻き取る方向に回転する。
【００２３】
図１に示すように、回転軸筒１４の内側にスプール軸２１が同軸状に挿通されている。スプール軸２１は、軸方向に直線的に往復動可能にリール本体２に支持されている。スプール軸２１の前部は、ロータ１５の前方に突出している。スプール軸２１の後部は、ピニオンギヤ２０を貫通してギヤボックス８の内部に導かれている。
【００２４】
スプール軸２１の前部にスプール２２が固定されている。スプール２２は、釣糸案内部１８によって案内された釣糸を巻き付ける巻胴部２３を有するとともに、スプール軸２１と一緒に直線的に往復動が可能となっている。
【００２５】
リール本体２のギヤボックス８の内部にオシレート機構２４が収容されている。オシレート機構２４は、ハンドル１１の回転運動を直線運動に変換してスプール軸２１に伝達する。そのため、ハンドル１１の操作によりロータ１５が回転すると、これに同期してスプール２２がスプール軸２１と一緒に軸方向に直線的に往復動するようになっている。
【００２６】
図１に示すように、スピニングリール１は、スプール２２から釣糸が繰り出される時に、ロータ１５が釣糸を巻き取る方向とは逆方向に回転するのを防ぐストッパー機構２６を装備している。ストッパー機構２６は、ギヤボックス８の内部に収容されている。
【００２７】
ストッパー機構２６は、ラチェット車２７とストッパー２８とを備えている。ラチェット車２７は、円筒状のボス部２９と複数の係合歯３０とを有している。ボス部２９は、回転軸筒１４の外周に同軸状に固定されて、回転軸筒１４と一体に回転するようになっている。係合歯３０は、ボス部２９の外周面に一体に形成されているとともに、ボス部２９の周方向に間隔を存して並んでいる。
【００２８】
ストッパー２８は、ラチェット車２７の係合歯３０に噛み合う爪先３１と、この爪先３１の反対側に位置するカム受け３２と、爪先３１とカム受け３２との間に位置するボス部３３とを一体に有している。
【００２９】
ストッパー２８のボス部３３は、支持軸３５を介してリール本体２のリールボディ５に支持されている。そのため、ストッパー２８は、支持軸３５を支点として第１の位置と第２の位置との間で回動可能となっている。
【００３０】
第１の位置では、図１に示すようにストッパー２８の爪先３１がラチェット車２７の一つの係合歯３０と噛み合っている。この噛み合いにより、釣糸を巻き取る方向へのロータ１５の正回転が許容されるとともに釣糸を繰り出す方向へのロータ１５の逆回転が禁止される。
【００３１】
第２の位置では、ストッパー２８の爪先３１がラチェット車２７の係合歯３０から離脱し、ストッパー２８とラチェット車２７との噛み合いが解除されている。そのため、ロータ１５は、釣糸を巻き取る方向および釣糸を繰り出す方向のいずれの方向にも自由に正回転および逆回転し得る状態に保持される。
【００３２】
さらに、駆動軸筒９ｂの外周にフリクションプレート３４が装着されている。駆動軸筒９ｂとフリクションプレート３４との間には所定の摩擦力が生じており、このフリクションプレート３４の端部がストッパー２８に係合している。そのため、ハンドル軸９ａが釣糸を巻き取る方向、つまり図１において反時計回り方向に回転すると、フリクションプレート３４を介してストッパー２８が時計回り方向に回動し、ストッパー２８とラチェット車２７との噛み合いが解除される。
【００３３】
図１および図２に示すように、スピニングリール１は、ストッパー２８を第１の位置又は第２の位置に選択的に切り換え保持する切り換え機構３７を装備している。切り換え機構３７は、操作軸３８と操作レバー３９とを備えている。操作軸３８は、リール本体２のリールボディ５に回動可能に支持されて、ギヤボックス８の上部をリール本体２の前後方向に貫通している。言い換えると、操作軸３８は、ハンドル軸９ａ、駆動軸筒１０ｂ、およびスプール軸２１の上方においてスプール軸２１と平行となるようにギヤボックス８の内部に収容されている。
【００３４】
操作軸３８は、円形の断面形状を有している。この操作軸３８の途中にカム４０が形成されている。カム４０は、例えば操作軸３８の外周面を半周に亘って切り欠くことにより形成され、このカム４０にストッパー２８のカム受け３２が当接可能となっている。
【００３５】
図１に示すように、操作軸３８の後部の外周に公知のように互いに平行な一対の平面を有する二面幅部３８ａが形成されている。二面幅部３８ａは、リールボディ５の内底面に固定された板ばねＳに圧接している。この圧接により、操作軸３８の自由な回動が制限されて、ストッパー２８が第１の位置および第２の位置のいずれかに弾性的に保持されている。
【００３６】
操作レバー３９は、操作部の一例であって、操作軸３８の後端にねじ止めされている。操作レバー３９は、操作軸３８を軸回り方向に回動させるためのものであり、釣人が手の指先で掴んだり、あるいは指先を引っ掛けることができるような形状を有している。操作レバー３９は、図２に実線で示す第１の切り換え位置と、図２に二点鎖線で示す第２の切り換え位置との間で略９０°の範囲に亘って回動可能となっている。
【００３７】
操作レバー３９を第１の切り換え位置に回動させた状態では、操作レバー３９がリール本体２の高さ方向に沿って起立するとともに、操作軸３８のカム４０に隣接する凹み内にストッパー２８のカム受け３２が干渉することなく入り込む。これにより、釣糸を繰り出す方向にロータ１５が逆回転すると、駆動軸筒９ｂが時計回り方向に回転するとともに、フリクションプレート３４を介してストッパー２８が支持軸３５を中心に反時計回り方向に回動する。この結果、操作軸３８上の二面幅部３８ａの一方の平面と板ばねＳとの圧接作用により、ストッパー２８が第１の位置に保持される。
【００３８】
操作レバー３９を第２の切り換え位置に回動させた状態では、操作レバー３９がリール本体２の右側に略水平に倒れ込む。それとともに、操作軸３８のカム４０がストッパー２８のカム受け３２から離脱するとともに、このカム受け３２に隣接する操作軸３８の外周面がカム受け３２に接触する。これにより、カム受け３２が押し下げられてストッパー２８が支持軸３５を中心に時計回り方向に回動する。よって、操作軸３８上の二面幅部３８ａの他方の平面と板ばねＳとの圧接作用により、ストッパー２８が第２の位置に保持される。
【００３９】
図１ないし図４に示すように、リール本体２のリールボディ５の後端部に凹部４３が形成されている。凹部４３は、リールボディ５の後面５ａおよび右側面５ｂに連続して開口するように切り欠かれており、リール本体２の外に開放している。
【００４０】
詳しく述べると、凹部４３は、リールボディ５の後面５ａに連続する垂直な第１の壁４４と、第１の壁４４の下端とテールカバー７の上端との間を結ぶ水平な第２の壁４５と、サイドカバー６と向かい合うように起立する第３の壁４６とで規定されている。図２に最も良く示されるように、ドライブギヤ１０の上部は、凹部４３の第３の壁４６とサイドカバー６との間に入り込んでいる。したがって、凹部４３は、ドライブギヤ１０を避けた位置でギヤボックス８の内部に深く入り込むように凹んでいる。
【００４１】
切り換え機構３７の操作軸３８の後端は、凹部４３の第１の壁４４を貫通して凹部４３内に突出している。操作軸３８の後端にねじ止めされた操作レバー３９は、その後縁部３９ａを除き凹部４３内に収まっている。図１に示すようにスピニングリール１を側方から見た場合に、操作レバー３９は、その操作軸３８の後端に隣接する部分がドライブギヤ１０と重なり合うような位置、言い換えると、ドライブギヤ１０の外径内に重合するような位置に収容配置されている。
【００４２】
操作レバー３９の後縁３９ａは、操作レバー３９が第１の切り換え位置に回動された時に、リールボディ５の後面５ａに沿うように円弧状に湾曲している。これにより、スピニングリール１を側方から見た時に、リールボディ５の後面５ａからの操作レバー３９の張り出しが抑えられて、操作レバー３９の大部分が凹部４３内に位置している。
【００４３】
このような本発明の第１の実施の形態によれば、操作レバー３９を第１の切り換え位置および第２の切り換え位置のいずれに回動させた状態においても、操作レバー３９の大部分ガリール本体２の後端部に位置する凹部４３に収まっている。
【００４４】
しかも、凹部４３は、リール本体２のギヤボックス８の内部に入り込むように凹んでいるので、操作レバー３９は、その操作軸３８の後端と隣り合う部分がギヤボックス８の内部のドライブギヤ１０と重なり合うような位置に収容配置されている。
【００４５】
この結果、操作レバー３９がリール本体２の後端部に深く埋め込まれた形態となり、この操作レバー３９がリール本体２の外に大きく突出するのを防止できる。したがって、釣りの最中に操作レバー３９に手が触れ難くなるとともに、釣人の衣服や釣糸が操作レバー３９に引っ掛かり難くなり、操作レバー３９の不所望な動きや誤操作を未然に防止することができる。よって、操作レバー３９の存在を気にすることなく魚とのやり取りに集中できる使い易いスピニングリール１を提供することができる。
【００４６】
さらに、上記構成によると、操作レバー３９をリール本体２によって保護することができ、釣りの最中に操作レバー３９が釣場の岩等に衝突するのを防止できる。よって、操作レバー３９の損傷を回避できる。
【００４７】
本発明は上記第１の実施の形態に特定されるものではなく、発明の主旨を逸脱しない範囲内で種々変形して実施可能である。
【００４８】
例えば、図５および図６は本発明の第２の実施の形態を開示している。この第２の実施の形態は、リール本体２に対する操作レバー３９の位置に関する事項が上記第１の実施の形態と相違しており、それ以外のスピニングリール１の構成は第１の実施の形態と同様である。そのため、第２の実施の形態において、第１の実施の形態と同一の構成部分には同一の参照符号を付して、その説明を省略する。
【００４９】
図５および図６に示すように、脚部３は、第１の側面３ａと第２の側面３ｂとを有している。第１の側面３ａは、脚部３の左側方に面している。第２の側面３ｂは、第１の側面３ａの反対側である脚部３の右側方に面している。
【００５０】
脚部３は、リール本体２の上端に連続する基端部５１を有している。脚部３の基端部５１に収容部５２が形成されている。本実施の形態の収容部５２は、脚部３の第１の側面３ａおよび第２の側面３ｂに開口する孔であり、脚部３を左右方向に貫通している。
【００５１】
さらに、リール本体２のリールボディ５の上端に窪み５３が形成されている。窪み５３は、ギヤボックス８の内部に落ち込むように凹んでいるとともに、リールボディ５の右側に向けて開放している。窪み５３は、脚部３に形成された収容部５２に連続することで、リール本体２と脚部３との境界部分に収容空間５４を形成している。
【００５２】
図５に示すように、切り換え機構３７の操作軸３８は、リール本体２の後方に進むに従い上向きに傾斜している。この傾斜により、操作軸３８の後端は、窪み５３の底を貫通して収容空間５４に突出している。操作軸３８の後端にねじ止めされた操作レバー３９は、収容空間５４に収まっている。
【００５３】
操作レバー３９が第１の切り換え位置に回動された状態では、操作レバー３９は、脚部３の側方に突出することなく収容空間５４の内側に完全に収まっている。そのため、スピニングリール１を後方から見た場合に、操作レバー３９は、脚部３により覆い隠されている。
【００５４】
操作レバー３９が第２の切り換え位置に回動された状態では、操作レバー３９は脚部３の右側に向けて略水平に倒れ込み、この操作レバー３９の先端が脚部３の右側に張り出している。
【００５５】
このような構成によると、操作レバー３９がリール本体２と脚部３との境界部分に埋め込まれた状態となり、この操作レバー３９がリール本体２の外に大きく突出するのを防止できる。したがって、上記第１の実施の形態と同様の効果を得ることができる。
【００５６】
さらに、脚部３の収容部５２は、脚部３の右側および左側に向けて開口しているので、脚部３の左側から収容部５２に指先を挿入することで、操作レバー３９を第１の切り換え位置から第２の切り換え位置に回動させることができる。そのため、操作レバー３９が収容空間５４の内側に入り込んでいても、操作レバー３９の操作性が損なわれることはない。
【００５７】
図７は、本発明の第３の実施の形態を開示している。
【００５８】
この第３の実施の形態では、操作レバー３９を収める収容部５２が脚部３の第２の側面３ｂのみに開口する凹みで構成されており、これ以外の構成は第２の実施の形態と同様である。
【００５９】
このような構成においても、上記第１および第２の実施の形態と同様に、操作レバー３９がリール本体２の外に大きく突出するのを防止できる。
【００６０】
しかも、第３の実施の形態によると、スピニングリール１を左側方から見る限り、操作レバー３９および収容部５２は脚部３の第１の側面３ａによって覆い隠される。したがって、リール本体２と脚部３との境界部分の形状がすっきりと纏まり、スピニングリール１の外観的な面で好都合となるといった利点がある。
【図面の簡単な説明】
【００６１】
【図１】本発明の第１の実施の形態に係る魚釣用スピニングリールの断面図。
【図２】本発明の第１の実施の形態に係る魚釣用スピニングリールを一部断面で示す背面図。
【図３】図２の矢印Ａ方向から見た魚釣用スピニングリールの平面図。
【図４】図２の矢印Ｂ方向から見た魚釣用スピニングリールの平面図。
【図５】本発明の第２の実施の形態に係る魚釣用スピニングリールを一部断面で示す側面図。
【図６】本発明の第２の実施の形態に係る魚釣用スピニングリールを一部断面で示す背面図。
【図７】本発明の第３の実施の形態に係る魚釣用スピニングリールを一部断面で示す背面図。
【符号の説明】
【００６２】
２…リール本体、３…脚部、４…竿取り付け部、８…ギヤボックス、１０…ドライブギヤ、１１…ハンドル、１４…回転軸筒、１５…ロータ、２８…ストッパー、３７…切り換え機構、３９…操作部（操作レバー）、４３…凹部、５２…収容部。
【図１】
2008245615.tif 000003
【図２】
2008245615.tif 000004
【図３】
2008245615.tif 000005
【図４】
2008245615.tif 000006
【図５】
2008245615.tif 000007
【図６】
2008245615.tif 000008
【図７】
2008245615.tif 000009